(57)【要約】      （修正有）【課題】二重まぶたを形成可能な程度の強度を維持しつつ、かつ、まぶたに貼り付けた際にはテープの上から化粧を施さなくとも目立たずに使用することが可能な二重まぶた形成用テープ、及び、該二重まぶた形成用テープの保持に適した二重まぶた形成用テープ集合シートを提供する。【解決手段】合成樹脂からなるテープ本体２の少なくとも裏面側に粘着剤（図示せず）が塗着されてなり、かつ、前記テープ本体２の厚さが３μｍ以上１５μｍ以下である、二重まぶた形成用テープ、及び、二重まぶた形成用テープを保持した二重まぶた形成用テープ集合シート１であって、前記二重まぶた形成用テープと、前記粘着剤を介して前記テープ本体２の裏面側に設けられた台紙４と、前記テープ本体２の表面側に設けられた合成樹脂からなる保護フィルム３とから構成される、二重まぶた形成用テープ集合シート１。【選択図】図３
2014097156.tif 000002
【特許請求の範囲】
【請求項１】
まぶたに貼って二重まぶたを形成するための二重まぶた形成用テープであって、合成樹脂からなるテープ本体の少なくとも裏面側に粘着剤が塗着されてなり、かつ、前記テープ本体の厚さが３μｍ以上１５μｍ以下である、二重まぶた形成用テープ。
【請求項２】
前記テープ本体の厚さが、６μｍ以上８μｍ以下である、請求項１に記載の二重まぶた形成用テープ。
【請求項３】
二重まぶた形成用テープを保持した二重まぶた形成用テープ集合シートであって、合成樹脂からなるテープ本体の少なくとも裏面側に粘着剤が塗着されてなる二重まぶた形成用テープと、前記粘着剤を介して前記テープ本体の裏面側に設けられた台紙と、前記テープ本体の表面側に設けられた合成樹脂からなる保護フィルムとから構成され、かつ、前記テープ本体の厚さが３μｍ以上１５μｍ以下である、二重まぶた形成用テープ集合シート。
【請求項４】
前記保護フィルムには、前記保護フィルムの長手方向の中央よりも外側に偏位した位置において、長手方向に直交する方向の切れ目が設けられており、これにより前記保護フィルムは外側部と内側部とに区分けされ、かつ、前記台紙には、前記保護フィルムの切れ目により区分けされた前記保護フィルムの外側部に対応する領域において、略半円状の切れ目が設けられており、これにより前記台紙の略半円状の部分は前記台紙の残りの部分から切り離し可能とされている、請求項３に記載の二重まぶた形成用テープ集合シート。
【発明の詳細な説明】
【技術分野】
【０００１】
本発明は、まぶたに貼って二重まぶたを形成するための二重まぶた形成用テープ、及び該二重まぶた形成用テープを保持した二重まぶた形成用テープ集合シートに関する。
【背景技術】
【０００２】
近年、上まぶたに軽く押し当てて貼ることで、簡便に二重まぶたを形成することができる二重まぶた形成用テープが販売されている。このような二重まぶた形成用テープとしては、ポリエステル等の合成樹脂製からなる透明なタイプのものや、不織布等からなる肌色に着色したタイプのもの等が知られている（例えば、特許文献１及び２参照）。
【先行技術文献】
【特許文献】
【０００３】
【特許文献１】特開平１０−３０４９３５号公報
【特許文献２】特開２００７−１３６０６１号公報
【発明の概要】
【発明が解決しようとする課題】
【０００４】
しかしながら、いずれの素材のものを使用する場合であっても、従来の二重まぶた形成用テープは、実際にまぶたに貼り付けて使用するとテープ部分が目立ってしまい、そのため、夜間の寝ている間に癖付け用としてテープを使用するか、或いは、昼間の外出時に使用する際には、貼り付けたテープの上からアイシャドウ、アイライン等のアイメイクを施し、テープを目立たないように隠す必要があった。そのため、例えば、薄化粧の状態や、化粧をしない、いわゆるすっぴんの状態では、テープを使用したまま外出することが難しいという欠点があった。
【０００５】
このような状況に鑑み、本発明者らは、薄化粧や化粧をしないことを好む人達にも適した二重まぶた形成用テープが必要であると考えた。すなわち本発明は、二重まぶたを形成可能な程度の強度を維持しつつ、かつ、まぶたに貼り付けた際にはテープの上から化粧を施さなくとも目立たずに使用することが可能な二重まぶた形成用テープ、及び、該二重まぶた形成用テープの保持に適した二重まぶた形成用テープ集合シートを提供することを目的とする。
【課題を解決するための手段】
【０００６】
上記の課題を解決するにあたり、本発明者らは鋭意検討を行った結果、ポリウレタン等の合成樹脂からなるテープを所定の範囲内の薄さに調整することで、二重まぶたの形成のために必要な強度を維持しつつ、かつ、テープの透明性を向上させて、薄化粧や化粧をしない状態でまぶたに貼り付けた場合にも目立たない二重まぶた形成テープを得ることができることを見出した。更に、本発明者らは、このような薄い形状の二重まぶた形成用テープであっても、該テープを保持した二重まぶた形成用テープ集合シートを、保護フィルム、二重まぶた形成用テープ、及び、台紙の三層構造で構成し、かつ、好ましくは保護フィルムと台紙とにそれぞれ特徴的な切れ目を設けることによって、台紙からの剥離及びまぶたへの貼り付けが容易となることを見出し、本発明の完成に至った。
【０００７】
すなわち本発明は、まぶたに貼って二重まぶたを形成するための二重まぶた形成用テープであって、合成樹脂からなるテープ本体の少なくとも裏面側に粘着剤が塗着されてなり、かつ、前記テープ本体の厚さが３μｍ以上１５μｍ以下である、二重まぶた形成用テープに関する。中でも、前記テープ本体の厚さは、６μｍ以上８μｍ以下であることが好適である。
【０００８】
また本発明は、二重まぶた形成用テープを保持した二重まぶた形成用テープ集合シートであって、合成樹脂からなるテープ本体の少なくとも裏面側に粘着剤が塗着されてなる二重まぶた形成用テープと、前記粘着剤を介して前記テープ本体の裏面側に設けられた台紙と、前記テープ本体の表面側に設けられた合成樹脂からなる保護フィルムとから構成され、かつ、前記テープ本体の厚さが３μｍ以上１５μｍ以下である、二重まぶた形成用テープ集合シートにも関する。前記二重まぶた形成用テープ集合シートにおいて、前記保護フィルムには、前記保護フィルムの長手方向の中央よりも外側に偏位した位置において、長手方向に直交する方向の切れ目が設けられており、これにより前記保護フィルムは外側部と内側部とに区分けされ、かつ、前記台紙には、前記保護フィルムの切れ目により区分けされた前記保護フィルムの外側部に対応する領域において、略半円状の切れ目が設けられており、これにより前記台紙の略半円状の部分は前記台紙の残りの部分から切り離し可能とされていることが好適である。
【発明の効果】
【０００９】
本発明によれば、二重まぶたを形成可能な強度を維持しつつ、かつ薄手で、まぶたに貼り付けた際に上から化粧を施さなくても目立たず使用が可能な二重まぶた形成用テープ、及び、このような薄い二重まぶた形成用テープであっても、台紙からの剥離及びまぶたへの貼り付けが容易となる二重まぶた形成用テープ集合シートを提供することができる。
【００１０】
本発明の二重まぶた形成用テープは、テープ本体の厚さを３μｍ以上１５μｍ以下とすることにより、合成樹脂からなるテープ本体の透明性を向上させることができ、まぶたに貼り付けた際に目立たず、外出する際にもテープの上から化粧を施してテープを隠す必要がなく、薄化粧や化粧をしない状態でも不自然とならずにテープを使用することができる。好ましくは更に、前記テープ本体の厚さを６μｍ以上８μｍ以下の範囲内とすることにより、テープ本体の透明性を高めつつ、二重まぶたの形成に必要な強度をより良く確保することができ、そのためまぶたに貼り付けた際に、テープを目立たせなくさせると同時に、より綺麗なラインで二重まぶたを形成することができる。
【００１１】
また、上記の二重まぶた形成用テープを保持する本発明の二重まぶた形成用テープ集合シートは、保護フィルム、二重まぶた形成用テープ、及び、台紙の三層構造をとることにより、従来よりも二重まぶた形成用テープが格段に薄く形成されているにもかかわらず、台紙からの剥離、及びまぶたへの貼り付けを容易に行うことが可能となる。好ましくは更に、保護フィルム、及び、台紙に、それぞれ上記したような特徴的な切れ目を入れておくことで、薄い二重まぶた形成用テープであっても、簡単な作業で台紙及び保護フィルムから容易に剥離することができ、かつ、まぶたの所望の位置に二重まぶた形成用テープを綺麗に貼り付けることが可能となる。
【図面の簡単な説明】
【００１２】
【図１】本発明の二重まぶた形成用テープ集合シートの一実施形態を示す正面図である。
【図２】本発明の二重まぶた形成用テープ集合シートの一実施形態を示す背面図である。
【図３】図１のＡ−Ａ線断面図である。
【図４】図１のＢ−Ｂ線断面図である。
【図５】本発明の二重まぶた形成用テープ集合シートから二重まぶた形成用テープをはがす際の手順の説明図である。
【発明を実施するための形態】
【００１３】
以下、本発明の実施形態を、図面を参照して説明する。ただし、本発明はこれらの実施形態に何ら限定されるものではない。
【００１４】
図１〜４は、本発明に係る二重まぶた形成用テープを保持した状態の二重まぶた形成用テープ集合シートの一実施形態を示している。この二重まぶた形成用テープ集合シート１は、テープ本体２と、該テープ本体２の表面側に設けられた保護フィルム３と、テープ本体２の裏面側に塗着された粘着剤（図示せず）を介して該テープ本体２の裏面側に設けられた台紙４との三層から構成されている。一枚の長方形状の台紙４上には、左右一対以上のテープ本体２及び保護フィルム３のセットが備えられており、例えば図１に示すように、左右２列で上下方向に各々７個（右まぶた用７個、左まぶた用７個の計１４個）のテープ本体２及び保護フィルム３のセットが備えられている。上記のようにテープ本体２の裏面側には粘着剤（図示せず）が塗着されており、このテープ本体２とその裏面側に塗着された粘着剤とによって、本発明に係る二重まぶた形成用テープが構成されている。
【００１５】
テープ本体２は、二重まぶた形成用テープの本体であり、流線形状に形成された、ポリウレタン等の合成樹脂からなる透明なフィルムである。テープ本体２は、目じり側が太く目頭側が細い流線形状に形成されており、すなわち、図１の左列に配置されるテープが右まぶた用、右列に配置されるテープが左まぶた用となる。テープ本体２の厚さは、３μｍ以上１５μｍ以下となるように構成されている。好ましくは、テープ本体２の厚さは５μｍ以上１０μｍ以下であり、より好ましくは、テープ本体２の厚さは６μｍ以上８μｍ以下である。テープ本体２の厚さが上記の所定の範囲よりも薄いと、二重まぶたを形成するために必要な強度に劣る場合があり、また、製造する上でも困難である。一方、テープ本体２の厚さが所定の範囲よりも厚くなると、テープ本体２の透明性が低下し、まぶたに貼り付けた際に目立ってしまい、外出時には化粧でテープ部分を隠す等の手間が生じてしまう。一方、テープ本体２の厚さが好ましい範囲内であると、必要な強度を維持しつつ、製造も比較的容易であり、かつ、テープ本体２の透明性が高いため、化粧をしない状態でもまぶたに貼り付けた際に目立たない点で優れている。
【００１６】
従来の二重まぶた形成用テープには、一枚のシート状に形成されたテープ素材に、まぶたに貼り付ける際の所望形状のテープ本体を区切る切れ目が複数設けられ、使用時に各々のテープ本体を、切れ目を介してシート状のテープ素材から切り離して使用するタイプのものが多い（例えば、特許文献１参照）。しかしながら、本発明では、上記のように予めまぶたに貼り付けるための所望形状（流線形状等）に形成されたテープ本体２及び保護フィルム３を、粘着剤を介して台紙４上に貼り付けた構成としておくことが好ましい。このような構成とすることで、使用前には所望形状のテープ本体２及び保護フィルム３をそのまま台紙４から剥離すれば足りるため、テープ素材の余剰部から所望形状のテープ本体を切り離す作業が不要であり、また、上記のようにテープ本体２が非常に薄く構成されていても、テープ素材からの切り離し作業によりテープ本体２が引っ張られて部分的にくっついてしまったり、丸まったりしてしまうことを防ぐことができ、テープ本体２の取扱いが容易となる。
【００１７】
保護フィルム３は、使用前のテープ本体２の表面を保護し、かつ、台紙４からのテープ本体２の剥離や、まぶたへのテープ本体２の貼り付けを容易にするために設けられており、流線形状（テープ本体２と同形状）に形成された、ポリエステル、ポリエチレン、ポリウレタン等の合成樹脂からなるフィルムから構成される。保護フィルム３は、テープ本体２の保護や、台紙４からのテープ本体２の剥離、まぶたへのテープ本体２の貼り付けの容易化の観点から、少なくともテープ本体２よりも厚いことが必要とされ、その厚さとしては５０μｍ以上１００μｍ以下が好ましい。このような比較的厚手の保護フィルム３を設けることで、上記のようにテープ本体２が非常に薄く構成されていても、使用前にテープ本体２の表面を指で触れてしまいテープ本体２がしわになったり丸まったりしてしまうことや、手の油等が付着して汚れてしまい透明性が低下してしまったりすること等を防止し、使用前のテープ本体２を綺麗な状態に維持することができる。なお、保護フィルム３は、テープ本体２及び台紙４との識別を容易とするために、着色されていることが好ましい。
【００１８】
また、保護フィルム３には、長手方向（図１における左右方向）の中央よりも目じり側（外側）に偏位した位置において、長手方向に直交する方向（図１における上下方向）に切れ目５が設けられている。すなわち保護フィルム３は切れ目５によって、目頭側の領域（内側部）３ａと目じり側の領域（外側部）３ｂとに分割されており、保護フィルムの内側部３ａと保護フィルムの外側部３ｂとを、それぞれ別個にテープ本体２から剥離することが可能なように設計されている。なお、切れ目５の周辺部は目立つように、保護フィルム３の全体よりも濃い色で着色されていることが好ましい。ここで、例えば図３に示される断面において、保護フィルムの内側部３ａと保護フィルムの外側部３ｂの長手方向（図３における左右方向）の長さの比は、３ａ：３ｂ＝６：４〜７：３の範囲内で設定されることが好ましい。このように、保護フィルムの内側部３ａと外側部３ｂとを同じ長さとせず、保護フィルムの外側部３ｂを内側部３ａよりも短く設定することにより、後述するように、片手の指先で台紙の切り取り部４ｂと保護フィルムの外側部３ｂとをつまみ上げる際に（図５（ｂ）参照）、保護フィルムの外側部３ｂが指先でつまみ上げるのに適切なサイズとなり、また、つまみ上げる際に保護フィルムの内側部３ａが切れ目５の周辺部においてテープ本体２からずれることがなく、保護フィルムの内側部３ａと外側部３ｂとを同じ長さとするよりも、安定した状態でつまみ上げることができる。
【００１９】
なお、保護フィルム３とテープ本体２とは、粘着剤（図示せず）により剥離可能に接着されていることが好ましい。例えば、保護フィルム３として微粘着性のフィルムを使用することにより、保護フィルム３とテープ本体２とを接着してもよいし、保護フィルム３とテープ本体２との間にアクリル系の接着剤を介在させることにより、保護フィルム３とテープ本体２とを接着してもよい。また、テープ本体２から保護フィルム３を剥離する際に、それらの間に存在する粘着剤層は、テープ本体２又は保護フィルム３のいずれに残存するように設計されていてもよいが、剥離後の粘着剤層は保護フィルム３に残存し、テープ本体２には残存しないように設計されていることが好ましい。まぶたに貼り付ける際に、テープ本体２の表面側（まぶたに貼り付ける側とは反対側）には粘着剤が付着していない方が、手指を汚さずにテープ本体２を貼り付けることができ、取扱いの点で有利である。
【００２０】
台紙４は、使用前のテープ本体２を保持するためのものであり、一枚の長方形状に構成され、テープ本体２の裏面側の粘着剤（図示せず）を介して剥離可能に貼り付けられている。台紙４は、粘着剤が容易に剥離されるような素材、例えばセパレータ処理を施した上質紙から構成されている。なお、台紙４は、テープ本体２を保持するために適度な厚みを有していればよい。
【００２１】
また、台紙４には、略半円状の切れ目６が、前記保護フィルム３の切れ目５により区分けされた前記保護フィルムの外側部３ｂに対応する領域に設けられている。したがって、略半円状の切れ目６で囲まれた台紙の一部（台紙の切り取り部４ｂ）は、台紙の残りの部分（台紙の残存部４ａ）から容易に切り離すことが可能となっている。この台紙の切り取り部４ｂの周縁は、前記保護フィルムの外側部３ｂの周縁よりもやや外側に位置しており、すなわち台紙の切り取り部４ｂは保護フィルムの外側部３ｂよりも若干大きなサイズに設計されている。これにより、台紙の切り取り部４ｂを下から押し上げて台紙の残存部４ａから切り離し、台紙の切り取り部４ｂと保護フィルムの外側部３ｂとでテープ本体２を挟んだ状態で摘み上げる際に（図５（ｂ）参照）、台紙の切り取り部４ｂを表面方向に押し上げやすくなり、仮に、押し上げ時にテープ本体２が若干上下左右方向にずれることがあったとしても、テープ本体２の裏面の粘着剤が指に付着してしまうことを防ぐことができる。また、台紙４の略半円状の切れ目６のうち、上下方向に延びる切れ目部分（略半円状の直径端に相当する部分）は、保護フィルム３の切れ目５よりも目頭側（内側）に設けられている。台紙４の切れ目６のうち上下方向に延びる切れ目部分を保護フィルム３の切れ目５よりも内側に設けておくことにより、台紙の切り取り部４ｂと保護フィルムの外側部３ｂとを指でつまみ上げて台紙の残存部４ａから切り離し（図５（ｂ）〜（ｃ）参照）、次いでテープ本体２の裏面側の露出部分をまぶたに貼り付けようとする際に、台紙の切り取り部４ｂが保護フィルムの外側部３ｂよりもやや目頭側の方向（内側方向）に突出した状態でテープ本体２及び保護フィルム３を下方向から支える状態となり（図５（ｃ）参照）、これによりテープ本体２の露出部分や保護フィルムの内側部３ａが下方向に垂れすぎて、保護フィルム３が切れ目５の部分で先に剥離してしまうことや、テープ本体２が自らの重みや静電気で丸まってしまうことを防ぎ、テープ本体２を安定した状態でまぶたに貼り付けることが可能となる。
【００２２】
なお、台紙４とテープ本体２とは、テープ本体２の裏面側に塗着された粘着剤（図示せず）により剥離可能に接着されている。例えば、台紙４とテープ本体２との間（テープ本体２の裏面側）にアクリル系の接着剤を施すことにより、台紙４とテープ本体２とを接着させることができる。台紙４は上記したように、粘着剤が容易に剥離される素材から構成されているため、テープ本体２はその裏面側に粘着剤が付着した状態のまま（すなわち、まぶたに貼り付けることが可能な二重まぶた形成用テープの状態として）、容易に台紙４から剥離される。なお、テープ本体２と台紙４との間に介在する粘着剤層（図示せず）の厚さとしては、まぶたへの粘着力や、まぶたに貼り付けた際の二重まぶた形成用テープの透明性を確保する観点から、２０μｍ以上５０μｍ以下が好ましい。
【００２３】
図５（ａ）〜（ｅ）は、二重まぶた形成用テープ集合シート１から二重まぶた形成用テープを剥離して、まぶたに貼り付けるまでの手順の一例を示している。なお、ここでは、右まぶた用のテープを、右のまぶたに貼り付ける場合を例に挙げて説明する。まず、剥離前の状態（図５（ａ））の二重まぶた形成用テープ集合シート１を手で持ち、集合シート１の左列（図１の正面図参照）に配置された右まぶた用のテープのうちの一つについて、略半円状の切れ目６で囲まれた台紙の切り取り部４ｂを、指で二重まぶた形成用テープ集合シート１の表面側に押し上げ、次いで台紙の切り取り部４ｂと保護フィルムの外側部３ｂとを指でつまんで、二重まぶた形成用テープ集合シート１の表面側に持ち上げるようにする（図５（ｂ））。そうすると、台紙の切り取り部４ｂは台紙の残存部４ａから切り離され、テープ本体２が、台紙の切り取り部４ｂ及び保護フィルム３（保護フィルムの内側部３ａと保護フィルムの外側部３ｂ）と共に、台紙の残存部４ａから剥離された状態となる。これにより、テープ本体２の目頭側の部分（内側部分）は、裏面側が露出した状態となる（図５（ｃ））。次いで、片手の指先で台紙の切り取り部４ｂと保護フィルムの外側部３ｂとをつまんだまま、露出したテープ本体２の内側部分の裏面側を、右の上まぶたの目頭側に位置決めし、もう片方の指先で軽く押さえるようにして貼り付ける。上記のようにテープ本体２の裏面には粘着剤（図示せず）が施されているため、テープ本体２はまぶたの所望の位置に容易に貼り付けることができる。テープ本体２の露出した内側部分の裏面側を目頭側に貼り付けた後、台紙の切り取り部４ｂを、テープ本体２の目じり側の部分（外側部分）を表面側に軽く折り曲げるようにしながらテープ本体２から剥離し、これにより露出したテープ本体２の外側部分の裏面側も、右の上まぶたの目じり側に貼り付ける（図５（ｄ））。最後に、保護フィルムの内側部３ａと外側部３ｂとを、それぞれテープ本体２から剥離する。保護フィルム３には切れ目５が設けられているため、保護フィルムの内側部３ａと外側部３ｂとの各々は、切れ目５から表面方向につまみ上げることで容易にテープ本体２から剥離することができる。例えば、まず保護フィルムの内側部３ａの切れ目５の近傍部分を片手の指先で軽く押さえることにより、もう一方の保護フィルムの外側部３ｂの切れ目５の近傍部分はテープ本体２からわずかに表面側に浮き上がるため、その浮き上がった部分を残りの手の指先でつまんで表面側に引き上げることにより、保護フィルムの外側部３ｂを容易にテープ本体２から剥離することができる。後は、残りの保護フィルムの内側部３ａも、切れ目５の部分から指先でつまんで表面側に引き上げ、剥離すればよい。これにより、テープ本体２の全体を、その裏面の接着剤（図示せず）を介して右の上まぶたに貼り付けることができる（図５（ｅ））。このようにして、右まぶた用の二重まぶた形成用テープを、右まぶたに貼り付けることができる。左まぶた用の二重まぶた形成用テープの左まぶたへの貼り付けも、上記と同様に行うことができる。なお、まぶたに貼り付ける適切な位置は人によっても異なるが、例えば睫毛から上方向に２〜３ｍｍ程度離した位置に、テープ本体２の流線形状の太い側を目じり側に、細い側を目頭側にして貼り付けることにより、綺麗な二重まぶたを形成することができる。
【００２４】
上記の実施形態によれば、非常に薄い二重まぶた形成用テープ（例えば、テープ本体２が、７μｍの厚さのもの）であっても、その表面に保護フィルム３を、その裏面に台紙４を設け、更にそれぞれに特徴的な切れ目を設けることで、テープ本体２を容易に台紙４から剥離することができ、まぶたの所望の位置に失敗なく貼り付けることができる。テープ本体２を台紙４から剥離する際には、テープ本体２に直接触れることなく、保護フィルムの外側部３ｂと台紙の切り取り部４ｂとを指先でつまんで持ち上げればよいために、薄いテープ本体２を直接指で触ることにより、誤って折り曲げてしまったり、丸めたりしてしまうことがない。また、保護フィルムの外側部３ｂと台紙の切り取り部４ｂとは、指で摘み上げやすい適切なサイズに調整されている。更に、保護フィルムの外側部３ｂと台紙の切り取り部４ｂとをつまんで持ち上げて、テープ本体２の内側部分の裏面側を露出させた状態とした際には（図５（ｃ））、台紙の切り取り部４ｂが保護フィルムの外側部３ｂよりもやや内側方向に突出した状態でテープ本体２の露出部分及び保護フィルム３を下方向から支える状態となっているために、テープ本体２の内側部分及び保護フィルム３が下方向に垂れすぎてその重みで保護フィルム３が切れ目５の部分で先に剥離してしまうことや、テープ本体２が自らの重みや静電気で丸まってしまうことを防ぐことができ、取扱いが容易となる。また、図５（ｃ）の段階で裏面が露出した状態となるテープ本体２の内側部分は、この段階で裏面が台紙の切り取り部４ｂに覆われたままの状態であるテープ本体２の外側部分よりも広い範囲となるために、持ち手としての台紙の切り取り部４ｂ（テープ本体２の外側部分に対応）は片手の指先でつまみやすい程度の適度なサイズに保ちつつも、まぶたに最初に貼り付けるテープ本体２の内側部分を比較的大きくすることができる。これにより、まずテープ本体２の一部が比較的広い面積でまぶたに貼り付けられるために、その部分を安定に貼り付けた状態のまま、その後の、テープ本体２の外側部分からの台紙の切り取り部４ｂの剥離を容易に行うことができる。まぶたに貼り付けられた二重まぶた形成用テープのテープ本体２は非常に薄い（例えば、７μｍの厚さである）ため、透明性が高く、テープ本体２の上に化粧を施さずとも目立つことがない。一方で、二重まぶたを形成するために必要な強度は有しているため、適切な位置に貼り付けることで、所望の二重まぶたを形成することが可能となる。
【００２５】
本発明に係る二重まぶた形成用テープ及び二重まぶた形成用テープ集合シートは、上記の実施形態に限定されるものではなく、各部分の素材や形状等を所望に応じて適宜変更することが可能である。例えば、テープ本体２の形状は流線形状に限定されず、まぶたに貼り付けて二重まぶたを形成できるような、まぶたの左右方向に細長い形状であればよい。台紙４のサイズや台紙４上に設けられるテープ本体２の数も上記の例示に限定されるものではなく、また、テープ本体２、保護フィルム３、及び台紙４の素材も、適宜変更することが可能である。ただし、テープ本体２の素材としては、肌に貼り付けた際に目立たないよう、所望の薄さに形成可能な、透明性に優れた合成樹脂製のフィルムを使用することが好ましい。また、テープ本体２と保護フィルム３との間に介在する粘着剤、及び、テープ本体２と台紙４との間に介在する（テープ本体２の裏面側に存在する）粘着剤の種類にも、それぞれ制限はなく、例えば後者においては、テープ本体２をその裏面側に粘着剤が付着した状態のまま台紙４から剥離して、まぶたに貼り付けることが可能となるような、従来公知のものを使用することができる。なお、本発明に係る二重まぶた形成用テープは上記のように化粧で隠さずとも充分目立たないものであるが、従来と同様に、テープの上からアイシャドウ、アイライン等のアイメイクを施すことも勿論可能である。
【符号の説明】
【００２６】
１  二重まぶた形成用テープ集合シート
２  テープ本体
３  保護フィルム
３ａ  保護フィルムの目頭側の領域（内側部）
３ｂ  保護フィルムの目じり側の領域（外側部）
４  台紙
４ａ  台紙の残存部
４ｂ  台紙の切り取り部
５  保護フィルムの切れ目
６  台紙の切れ目
【図１】
2014097156.tif 000003
【図２】
2014097156.tif 000004
【図３】
2014097156.tif 000005
【図４】
2014097156.tif 000006
【図５】
2014097156.tif 000007